(57)【特許請求の範囲】
【請求項１】
端子（１）と、この端子（１）が取付けられる樹脂製の端子板（２）と、この端子板（２）がリアクター本体（３）が取付けられた取付板（６）の端子板取付部（６ｂ）に取付けられるリアクターであって、
前記端子（１）の上方両側には横方向に張り出した係止部（１ｂ）が形成され、かつその下方には長手の端子本体に対しほぼ直交して外側に折曲された抜け止め部（１ｃ）が形成され、かつ前記端子板（２）には外側に突出した一対の取付部（２ｄ）が形成され、これら取付部（２ｄ）間に上方から前記端子（１）をその抜け止め部（１ｃ）側から挿通し、前記係止部（１ｂ）が前記取付部（２ｄ）の上部に当接後、取付部（２ｄ）の下方に位置する前記抜け止め部（１ｃ）を横方向に押し広げ、抜け止め部（１ｃ）の上部を前記取付部（２ｄ）の下部と当接させ固定することを特徴としたリアクター。
【請求項２】
抜け止め部（１ｃ）の上部は斜めに傾斜されテーパ状になっている請求項１記載のリアクター。
【発明の詳細な説明】
【０００１】
【発明の属する技術分野】
この発明は、民生用の電子機器の高調波対策に用いられるリアクターに関する。
【０００２】
【従来の技術】
この種のリアクターは、コイルボビンにコイルを巻回し、かつコイルボビンにコアを組込むとともに、コイルの引出線を端子板に接続するなどして構成されている。
【０００３】
この端子板はコイルの外表面に取付けられ、コイルの引出線をその端子板の所定の位置まで引き回わし、かつ所定のリード線と接続している。
【０００４】
【発明が解決しようとする課題】
この端子板は、従来、紙製のものが用いられ、この紙製の端子板に端子を設けているが、取付が煩雑であるとともに、引っ張り強度などにも弱い、という課題があった。
【０００５】
この発明は上記のことに鑑み提案されたもので、その目的とするところは、端子板に端子を容易、かつ確実に取付けることのできるリアクターを提供することにある。
【０００６】
【課題を解決するための手段】
この発明は、端子１と、この端子１が取付けられる樹脂製の端子板２と、この端子板２がリアクター本体３が取付けられた取付板６の端子板取付部６ｂに取付けられるリアクターであって、前記端子１の上方両側には横方向に張り出した係止部１ｂが形成され、かつその下方には長手の端子本体に対しほぼ直交して外側に折曲された抜け止め部１ｃが形成され、かつ前記端子板２には外側に突出した一対の取付部２ｄが形成され、これら取付部２ｄ間に上方から前記端子１をその抜け止め部１ｃ側から挿通し、前記係止部１ｂが前記取付部２ｄの上部に当接後、取付部２ｄの下方に位置する前記抜け止め部１ｃを横方向に押し広げ、抜け止め部１ｃの上部を前記取付部２ｄの下部と当接させ固定する構成として上記目的を達成している。
また、この場合、抜け止め部１ｃの上部は傾斜したテーパ状とし、上記目的を達成している。
【０００７】
【発明の実施の形態】
図１は本発明の一実施例における、端子を端子板に取付ける状態の正面図、図２は端子の側面図、図３は端子を端子板に取付けた状態の正面図、図４は要部の拡大図を示す。
【０００８】
図１において、１は導電性部材からなる平形の端子である。この端子１の上端中央部にはリード線接続部１ａが形成されている。また、上部には側方に張り出した係止部１ｂが形成され、かつその下方の離間した位置には抜け止め部１ｃが形成されている。さらに、端子１の下方には、詳しくは図５に示す引出線４ａ，４ｂを案内して受容する包持部１ｄが形成されている。この包持部１ｄは下方両側部に切込みを入れ、かつ両側部を、図２に示すように、外側に向かってほぼ弧状に折曲することによって形成されている。
【０００９】
また、図１において、２は絶縁性の樹脂からなる全体としてほぼ矩形をなす端子板である。この端子板２の中央上方には、詳しくは後述の図５に示す端子板取付部６ｂの係合部６ｃと係合する係合用窓２ａが形成されている。また、端子板２の内部には下方開口部２ｂを介し端子板取付部６ｂを挿通するための凹部２ｃが形成されている。
【００１０】
さらに、端子板２の外表面には端子１を取付けるための取付部２ｄが形成されている。この各取付部２ｄは外側に向かって突出した一対の突部からなり、そこの根元部分に端子１を上方から挿通する。端子１の上部には、前述のように、側方に張り出した係止部１ｂがあり、この係止部１ｂが取付部２ｄの上端に当接して位置決めされる。また、端子１の抜け止め部１ｃは、端子挿入時には、長手の端子本体に対しほぼ直交して取付部２ｄの突出方向に折曲され、一対の取付部２ｄ間に挿入し下方位置にでてきたところで、図３に示すように、横方向に押し広げることにより、端子１が抜け出ないようになっている。
【００１１】
図３は端子１の取付状態、図４は図３中Ａ部の拡大図で、抜け止め部１ｃの上部は上方から下方へ傾斜するテーパ状をなし、取付部２ｄの下端と当接する。このように、テーパ状にすることによりくさび効果が得られ、カシメ後のガタを無くし、確実に固定することができる。
【００１２】
なお、詳しくは図４に示すように、抜け止め部１ｃの両側部１ｃ′は折曲され、補強されている。
【００１３】
図５は端子１が取付けられた端子板２をリアクター本体３に取付ける状態を示す。
【００１４】
図５中、４はコイルボビンの胴部上に太目（例えば１．５ｍｍ）を電線を巻回して構成したコイル、５はコイルボビンに組込まれたけい素鋼板を積層してなるＥＩ型のコア、６は上記組立体が取付けられた、鉄板の如き金属の板からなり、かつ取付孔６ａを有する取付板で、この取付板６にはその一部を上方に向かってほぼ直角に折り曲げて形成した端子板取付部６ｂが形成されている。
【００１５】
この端子板取付部６ｂにはリブ６ｃが形成され補強され、かつこれに端子１を有する端子板２が取付けられるが、それに先立ってコイル４の巻始め、巻終わりの各引出線４ａ，４ｂを予め所定の形状にフォーミングしておき、端子板取付部６ｂに端子板２を取付ける際に、各引出線４ａ，４ｂが端子１の包持部１ｄに案内され包持されるようになっている。
【００１６】
すなわち、各引出線４ａ，４ｂは太線からなるため、線に腰があり、かつその材質に起因して折曲自在であって所定形状にフォーミングすることができる。このフォーミングとしては、引出線４ａ，４ｂを所定の長さに切断し、周囲の絶縁被膜を除去し、所定の形状に折曲される。フォーミング作業は手作業でも良いし、ロボットを介して自動化により行っても良い。
【００１７】
なお、端子板取付部６ｂの上部には打抜き形成された舌片状の係合部６ｄが形成されている。この係合部６ｄはやや外側に折曲され、端子板２の内部に形成された凹部２ｃに端子板取付部６ｂを下方開口部２ｂを介して挿通して取付ける場合、係合部６ｄは材質に起因する弾性を有するため、内側に押圧され、先端が係合窓２ａの下縁２ａ′の位置に達すると、押圧状態が解放されるため、外側位置に復帰し、先端が係合窓２ａの下縁２ａ′に係合し、端子板２の抜けを防止することができる。
【００１８】
なお、この時点で包持部１ｄと各引出線４ａ，４ｂとが接触される。この接触部分は周知のようにハンダ付け接続される。この場合、包持部１ｄの外側上部にはその形状に起因してハンダが乗り易い。
【００１９】
しかる後、端子板２には絶縁カバー７が取付けられる。この絶縁カバー７の両側部には、一対のアーム７ａが突設され、かつアーム７ａの先端には内側に折曲された係合部７ｂが形成され、この部分が取付部２ｄの側部の根元の段部２ｄ′に係合して絶縁カバー７は端子板２に取付けられる。
【００２０】
なお、それぞれ並設された一対の取付部２ｄのうち内側部分のものには、突部２ｅがあり、この突部２ｅは絶縁カバー７の対応した位置に形成された窓７ｃに係合される。
【００２１】
図６は組立が完了した状態の外観斜視図である。
【００２２】
【発明の効果】
以上のように、本発明によれば、端子１を端子板２の一対の取付部２ｄ間に位置決めされるまで挿入し、かつ下側に出てきた抜け止め部１ｃを単に横方向に押し広げるだけで、端子１を容易、かつ確実に端子板２に取付けることができる。また、抜け止め部１ｃの上部はテーパ状になっているため、取付部２ｄに対し、いわゆるくさび効果によりガタ付きを防止し得る。
【図面の簡単な説明】
【図１】本発明の一実施例の端子と端子板との正面図。
【図２】同上の端子の側面図。
【図３】端子を端子板に取付けた状態を示す正面図。
【図４】図３中Ａ部の拡大図。
【図５】端子付端子板をリアクター本体に組込む状態を示す斜視図。
【図６】組立が完了した本発明のリアクターの斜視図を示す。
【符号の説明】
１    端子
１ａ  リード線接続部
１ｂ  係止部
１ｃ  抜け止め部
１ｄ  包持部
２    端子板
２ａ  係合用窓
２ｂ  開口部
２ｃ  凹部
２ｄ  取付部
２ｅ  突部
３    リアクター本体
４    コイル
４ａ，４ｂ  引出線
５    コア
６    取付板
６ａ  取付孔
６ｂ  端子板取付部
６ｃ  リブ
６ｄ  係合部
７    絶縁カバー
７ａ  アーム
７ｂ  係合部
７ｃ  窓
【図１】
0003654379.tif 000002
【図２】
0003654379.tif 000003
【図３】
0003654379.tif 000004
【図４】
0003654379.tif 000005
【図５】
0003654379.tif 000006
【図６】
0003654379.tif 000007